(57)【要約】      （修正有）【課題】従来の貸し出しに係るコミックスの陳列において、陳列時のアピール性を向上させ、ジャケットが破かれたり汚されたりしないようにコミックスと分離でき、貸し出し中においてもそのコミックスの存在が視認できるようにすること。【解決手段】コミックスを収納するケース本体部１と、ケース本体部の外周面に巻き付けて取り付ける透明なフィルム材２０とからなり、前記ケース本体部は、硬質の樹脂シート材で上部が解放するブック形の箱形状に形成されると共に、底部１４を上げ底構造に形成し、透明なフィルム材は、一方の端部側を所要幅折り返し上下端縁を溶着してポケット部２１を形成すると共に、両端部に帯状の接着剤層２２，２３を設け、前記ポケット部にコミックスのジャケット２５の一端部を差し込んで重ねた状態にし、ジャケットを内側にして前記フィルム材をケース本体部に巻き付け、接着剤層を接着して取り付けたコミックス用の陳列ケース。【選択図】図２
2005138354.tif 000002
【特許請求の範囲】
【請求項１】
コミックスを収納するケース本体部と、該ケース本体部の外周面に巻き付けて取り付けられる透明なフィルム材とからなり、
前記ケース本体部は、硬質の樹脂シート材で上部が解放するブック形の箱形状に形成されると共に、底部を上げ底構造に形成し、
前記透明なフィルム材は、一方の端部側を所要幅折り返し上下端縁を溶着してポケット部を形成すると共に、両端部に帯状の接着剤層を設け、
前記ポケット部にコミックスのジャケットの一端部を差し込んで重ねた状態にし、ジャケットを内側にして前記フィルム材を前記ケース本体部に巻き付け、接着剤層を接着して取り付けたこと
を特徴とするコミックス用の陳列ケース。
【請求項２】
ケース本体部を構成する硬質の樹脂シートは、
透明、半透明または不透明な材料のいずれかで形成されていること
を特徴とする請求項１に記載のコミックス用の陳列ケース。
【発明の詳細な説明】
【技術分野】
【０００１】
本発明は、例えば、コミックス（漫画本）を貸し出すために陳列するコミックス用の陳列ケースに関するものである。
【背景技術】
【０００２】
一般に、この種のコミックスなどの本を貸し出す場合には、複数段に形成した陳列棚に対して、一冊一冊の表側の表紙が見やすいように、立て掛けて同種の本を複数冊重ねて陳列する場合と、単に「タイトル」が解るように背表紙を外側に向けて整列させて収納して陳列する場合とがある。
【０００３】
ところが、前者の場合は、表紙が見やすいことから借り手に対してアピール性は向上するが、広い陳列スペースを必要とし、店舗自体を広くしなければならないという問題点を有している。また、後者の背表紙を外側に向けて陳列することによって、店舗が狭くても多数の種類のコミックスを陳列することができる点で優れているが、借り手に対してのアピール性に欠けるという問題点を有している。
【０００４】
いずれにしても、この種のコミックスは、表紙及び背表紙には一応のタイトルが一色のインク（黒色）で印刷されているが、見た目に派手さがなく借り手に対してアピール性に欠けるため、多色のカラー印刷した別刷りのジャケットが表紙の外側に被せて取り付けられている。
【０００５】
しかしながら、ジャケットの取り付けは、その両端部を表と裏の表紙の内側に挟み込んだだけの状態であるため不安定であり、貸し出しに供し得ない状態であるため、貸し出す際にジャケットを取り外すか、または、ジャケットの両端部を粘着テープまたはセロテープ（商標名）で表紙の内側に接着して離脱しないように取り付けている。
【０００６】
このように、いずれの陳列の仕方においても、コミックスのアピール性を向上させるためにジャケットの取り付けが重要であるが、ジャケットを取り付けた状態のままで陳列させると、陳列棚からの出し入れの際に、ジャケットが擦れたり引っ掛かったりして破ける虞があるばかりでなく、貸し出し中においてもジャケットを破かれたり汚されたりして、次の貸し出しのための陳列に耐えない状態になることもあり、そのようになったコミックは、ジャケットなしで陳列しなければならず、必然的にアピール性に欠けるものとなり、貸し出しの回数が減少するという問題点を有している。なお、当該分野において、この種のコミックス用の展示ケースは存在しない。
【発明の開示】
【発明が解決しようとする課題】
【０００７】
従来の貸し出しに係るコミックスの陳列において、解決しようとする課題は、陳列時のアピール性を向上させ、陳列棚から出し入れしても、また貸し出しにおいても、ジャケットが破かれたり汚されたりしないようにコミックスと分離でき、しかも、貸し出し中においてもそのコミックスの存在が視認できるようにしたコミックス用の陳列ケースを提供することである。
【課題を解決するための手段】
【０００８】
本発明は、コミックスを収納するケース本体部と、該ケース本体部の外周面に巻き付けて取り付けられる透明なフィルム材とからなり、前記ケース本体部は、硬質の樹脂シート材で上部が解放するブック形の箱形状に形成されると共に、底部を上げ底構造に形成し、前記透明なフィルム材は、一方の端部側を所要幅折り返し上下端縁を溶着してポケット部を形成すると共に、両端部に帯状の接着剤層を設け、前記ポケット部にコミックスのジャケットの一端部を差し込んで重ねた状態にし、ジャケットを内側にして前記フィルム材を前記ケース本体部に巻き付け、接着剤層を接着して取り付けたことを最も主要な特徴とするコミックス用の陳列ケースである。
【０００９】
本発明のコミックス用の陳列ケースは、ケース本体部を構成する硬質の樹脂シートは、透明、半透明または不透明な材料のいずれかで形成されていること、を付加的な要件として含むものである。
【発明の効果】
【００１０】
本発明のコミックス用の陳列ケースは、硬質の樹脂シート材で上部が解放するブック形の箱形状に形成されたケース本体部の周囲に、ジャケットを内側に重ねて巻き付けるようにして透明なフィルム材を取り付けた構成としたことによって、形成加工の手間が掛からず容易であって、しかも、コミックスをケース本体部に収納して所定の陳列棚に陳列させたときに、目立つようにカラー印刷したジャケットが視認できるので、コミックスのアピール性を向上させ、また、陳列棚から出し入れしても、またコミックスの貸し出しにおいても、陳列ケースは陳列棚に残っているので、ジャケットが破かれたり汚されたりしないのであり、取扱も便利であり長期に渡ってアピール性を維持できるというものである。
【発明を実施するための最良の形態】
【００１１】
コミックス用の陳列ケースは、コミックスを収納するケース本体部を硬質の樹脂シート材で形成し、該ケース本体部の外周面に、収納されるコミックスのジャケットを内側に重ねて巻き付けるようにして取り付た透明なフィルム材とで構成され、前記ケース本体部は上部が解放または開口するブック形の箱形状に形成されると共に、底部を上げ底構造に形成したものであり、前記透明なフィルム材は、例えば、透明度が高くかつ安価なＯＰＰフィルム等が使用され、該フィルムはロール状に巻いた状態のものを順次繰り出して一方の側縁部を所定幅に渡って内側に折り畳み、その状態におけるフィルムの幅が前記ケース本体部の外周面の長さに略等しい長さ（幅）であって、それをケース本体部の高さにほぼ等しい間隔をもって順次溶断することによって、折り畳み部分の上下端縁が溶着してポケット部となるのであり、ポケット部を有するフィルム材が形成できるのである。
【００１２】
このように形成したポケット部を有するフィルム材の両端部に、例えば、両面接着テープなどからなる帯状の接着剤層を設け、前記ポケット部にコミックスのジャケットの一端部を差し込んで重ねた状態にし、ジャケットを内側にして前記フィルム材を前記ケース本体部に巻き付け、接着剤層を接着して取り付けることによってコミックス用の陳列ケースが完成するのであり、その構成は極めて簡単で加工の手間が掛からず、しかも、ジャケットはポケット部によって位置決めされると共に、ずれないように維持され、外部から明確に視認できるようにしたことによって、実現化したものである。
【実施例】
【００１３】
図１は、本発明に係るコミックス用の陳列ケースの実施例を示す展開図であり、（Ａ）図はケース本体部の展開平面図で、（Ｂ）図は該ケース本体部の外周面に巻き付けて取り付けられる透明なフィルム材の展開平面図である。コミックス用の陳列ケースを構成するケース本体部１は、例えば、硬質の樹脂シート材で形成されるものであって、収納されるコミックスの大きさにほぼ対応して、シート材を型枠で打ち抜きするものであって、背表紙に対応する側面壁部２を中心にして両側に前面壁部３と裏面壁部４とを罫線５、６を介して一連に形成し、前面壁部３の自由端部側には罫線７を介してコミックスの見開き側に対応するスペーサ壁部８を形成し、裏面壁部４の自由端部側には罫線９を介して接着代１０を形成する。
【００１４】
また、前面壁部３と裏面壁部４との下端部側には上げ底を形成するための底部構成部材が形成されている。一方の壁部の下部、即ち、裏面壁部４に罫線１１を介して立ち上げ壁１２と、該立ち上げ壁１２に罫線１３を介して底壁１４と、該底壁に罫線１５を介して立ち下げ壁１６を一連に形成し、他方の壁部の下部、即ち、前面壁部３の下部には罫線１７を介して上げ底の壁部を支持するための支持片１８が一連に形成されている。この場合の支持片１８の幅は、側面壁部２の幅よりもやや広く形成してある。そして、各罫線部分は折り目となるので、型枠で打ち抜きをする際に、同時に線状にプレスして型付けをし折り曲げやすくしてある。なお、前記接着代１０には、例えば、両面接着テープなどの接着手段１９が設けられている。
【００１５】
透明なフィルム材２０は、例えば、透明度が高くかつ安価なＯＰＰフィルム等が使用されるものであり、該フィルムは長方形のものが使用され、一方の端部を所要幅に渡って内側に折り畳んで上下端縁を溶着することによってポケット部２１を形成し、その状態で前記ケース本体部１における接着代１０を除く長さ及び幅と略等しい長さ及び幅に形成するのである。そして、フィルム材２０のポケット部２１が形成された面側（内側となる面）の両端部に端縁に沿って帯状の接着剤層２２、２３を形成したものである。なお、接着剤層２２、２３を形成するに当たって、例えば、両面接着テープを用いて形成した方が好ましい。
【００１６】
図２に陳列ケースの組み立て状況を示してある。まず、ケース本体部１を組み立ててから透明なフィルム材２０を取り付けるのであって、ケース本体部１は、上げ底となる底部構成部材、即ち、罫線１１を内側におり、罫線１３、１５をそれぞれ外側に折って、立ち上げ壁１２と底壁１４と立ち下げ壁１６とが断面コ字状になるように形成し、罫線１７を内側に折って支持片１８がやや上向きになるようにする。次に、罫線５、６、７、９を内側に折り、底部構成部材が前面壁部３と背面壁部４との間に位置するようにし、スペーサ壁部８を先に位置させ、その上に剥離紙を剥がした接着代１０を重ね接着手段１９により接着することで全体として上げ底で上部が開口したブック形の箱形状のケース本体部１が形成される。
【００１７】
次に、透明なフィルム材２０をケース本体部１の周囲に取り付ける。この場合に、まず、収納されるべきコミックスのジャケット２５を取り外し、そのジャケット２５の一端部２６をポケット部２１に差し込んで全体をフィルム材２０に重ねて沿わせた状態にし、一方の端部側の接着剤層２２の剥離紙を剥がして、その端部をケース本体部１の背面壁部４における罫線９側の端縁に位置合わせをし接着させて取り付け、続いてジャケット２５を重ねた状態でフィルム材２０をケース本体部１の外周面に沿って緩みがないように巻き付け、他方の端部側の接着剤層２３の剥離紙を剥がし、その端部を接着代１０の外表面に接着させて取り付けるものである。
【００１８】
このように形成されたコミックス用の陳列ケースにおけるケース本体部１の底部の上げ底構造は、図３に示したように、底壁１４が立ち上げ壁１２と立ち下げ壁１６とによって上方に持ち上げられて位置し、支持片１８の基部側によって立ち下げ壁１６の端縁を支持すると共に、支持片１８の先端部が立ち上げ壁１２と底壁１４の略境界部分に当接して、立ち上げ壁１２と底壁１４と立ち下げ壁１６とで形成される断面コ字状を呈する上げ底の底部構造を安定した状態に維持しているのである。
【００１９】
そして、実際の使用においては、図４に示したように、コミックス用の陳列ケースが上げ底構造であるため、上部の開口部からコミックス２７を収納すると、ケース本体部１の上部からコミックス２７の一部が突出した状態になっており、この状態で所要の陳列棚に納めてまたは整列させて陳列に供されるのであり、その陳列状態にある陳列ケースをピックアップし、突出した部分を摘んでコミックス２７を陳列ケースから容易に取り出すことができるのであり、陳列ケースはそのまま陳列棚に納めてコミックス２７だけを貸し出すのである。
【００２０】
コミックス２７を収納した状態で陳列に供する場合に、ケース本体部１の周囲にジャケット２５が取り付けてあるので、表紙側を正面にして陳列しても良いし、背表紙側を正面に向けて整列させて陳列させても良いのであり、いずれの陳列においてもカラー印刷したジャケット２５をフィルム材２０を透して鮮明に視認することができ、ジャケット２５はその一端がポケット部２１に差し込まれているので位置ずれしないし、フィルム材２０で保護されているので、汚れたり破かれたりしないのであり、長期に渡って陳列の効果を発揮させることができる。
【００２１】
なお、ケース本体部１を形成する硬質な樹脂シートは、透明なものが好ましいが、材質によっては、半透明または不透明な材料で形成しても良いのであり、また、ケース本体部１を保管管理する際、及び輸送・発送する際には平板状のままの方が嵩張らないので容易であり、箱形状への組み立ては、各罫線に沿って折り畳むだけであるため、及び透明なフィルム材２０の取り付けも予め接着剤層２２、２３が設けられているので、ジャケット２５を挟んでケース本体部１の外周面に巻き付けて取り付けるだけであって、極めて簡単にかつ速やかに行えるのである。
【００２２】
また、透明なフィルム材２０は、ケース本体部１から剥がすことができるので、例えば、今まで収納していたコミックス２７とは違う種類のコミックスを収納し陳列させたい時には、ケース本体部１はそのまま使用し、透明なフィルム材２０を剥がして、ジャケットを取り替えて再度貼り付けるか、または、新たなフィルム材を使用してそこに収納されるべきコミックスのジャケットを挟んで取り付けることもできるのである。この場合には、予め余分なフィルム材を準備しておけば良いのである。
【産業上の利用可能性】
【００２３】
本発明に係るコミックス用の陳列ケースは、コミックスのみならず、ジャケットを有するその他の貸し出し用の商品の陳列または展示に使用することによって、その商品についてジャケットが保護されること、並びに、商品が貸し出し中であっても、陳列ケースが残っているので、その商品の存在をディスプレーしていることから、アピール性を著しく向上させることができると共に、ケース本体部および透明なフィルム材についても、比較的その構成が簡単であって安価に提供でき、繰り返しの陳列または展示のために長期に渡って使用できるのである。
【図面の簡単な説明】
【００２４】
【図１】本発明の具体的な実施例に係るコミックス用の陳列ケースを分解して示した平面図であって、（Ａ）図はケース本体部のブランク図で、（Ｂ）図は透明なフィルム材のブランク図である。
【図２】同実施例に係るコミックス用の陳列ケースの組み立て途上を略示的に示した斜視図である。
【図３】同実施例に係るコミックス用の陳列ケースの上げ底構造を拡大して示した要部の断面図である。
【図４】本発明に係るコミックス用の陳列ケースにコミックスを収納した状態を示す斜視図である。
【符号の説明】
【００２５】
１  ケース本体部
２  側面壁部
３  前面壁部
４  背面壁部
５、６、７、９、１１、１３、１５、１７  罫線
８  スペーサ壁部
１０  接着代
１２  立ち上げ壁
１４  底壁
１６  立ち下げ壁
１８  支持片
１９  接着手段
２０  透明なフィルム材
２１  ポケット部
２２、２３  接着剤層
２５  ジャケット
２６  一端部
２７  コミックス
【図１】
2005138354.tif 000003
【図２】
2005138354.tif 000004
【図３】
2005138354.tif 000005
【図４】
2005138354.tif 000006